(57)【特許請求の範囲】
【請求項１】
本発明は、複数の広告クライアントがそれぞれ保有するクライアント側コンピュータと、広告閲覧者がそれぞれ保有する閲覧者側コンピュータが、通信ネットワークを介してそれぞれ広告会社コンピュータに接続された環境において、広告クライアントから広告会社コンピュータに対し広告申込された広告データを、閲覧者側コンピュータが広告会社コンピュータを介し、広告会社コンピュータ側で設けられた閲覧時間で広告データ閲覧するサーフシステムにおいて、
上記広告会社コンピュータは、
広告クライアントから広告申請された少なくとも広告期間、広告URLを含む広告データに対し、少なくとも広告識別コードを発行し広告データに関連づけて記憶保存する広告データ記憶手段と、
上記広告データに対し、上記広告クライアントから購入申請された閲覧時間伸縮型サーフシステムのための広告会社コンピュータが発行管理するポイントを、上記広告識別コードと関連づけて記憶保存するポイント設定データ記憶手段と、
閲覧者側コンピュータから広告データ表示要求を受信する手段と、
上記受信した表示要求に対し現在の閲覧者数と、ポイント設定データ記憶手段に記憶された広告期間が現在時に該当する広告データ及びポイント総数を順次読み出し、閲覧者数とポイント総数から現在の最適な閲覧時間を算出する手段と、
上記広告データを表示し、上記算出した閲覧時間を過ぎるごとに広告会社コンピュータに再び広告表示要求を送る閲覧時間伸縮型自動サーフ用プログラムを出力する手段と、
を備えることを特徴とする閲覧時間伸縮型自動サーフシステム。
【請求項２】
前記閲覧者から会員登録申請された少なくとも閲覧者を特定可能なデータを含む会員データに対し、少なくとも会員識別コードを発行し会員データに関連づけて記憶保存する構造をさらに備える請求項１に記載の閲覧時間伸縮型自動サーフシステム。
【請求項３】
前記会員データに対し、少なくとも広告会社コンピュータが発行するポイントを、会員識別コードに関連づけて記憶保存する構造をさらに備える請求項１に記載の閲覧時間伸縮型自動サーフシステム。
【請求項４】
前記少なくとも請求項２の会員識別コードを含む、前記広告データ表示要求を受信する手段と、
上記会員識別コードを含む広告データ表示要求を受信した場合に、広告閲覧の対価として広告会社コンピュータからポイントを発行し、ポイントを会員識別コードより会員データに関連づけて記憶保存する構造をさらに備える請求項１に記載の閲覧時間伸縮型自動サーフシステム。
【発明の詳細な説明】
【技術分野】
【０００１】
本発明は、複数の広告クライアントがそれぞれ保有するクライアント側コンピュータと、複数の広告閲覧者がそれぞれ保有する閲覧者側コンピュータが、通信ネットワークを介してそれぞれ広告会社コンピュータに接続された環境において、広告クライアントから広告会社コンピュータに対し広告申込された広告データを、閲覧者側コンピュータが広告会社コンピュータに広告データ表示要求を送信ことにより、広告データと、閲覧時間を過ぎるごとに広告会社コンピュータに再び広告表示要求を送信し、広告を自動で切り替えるためのサーフ用プログラムを出力するサーフシステムに関するものである。
【背景技術】
【０００２】
広告会社コンピュータからネットワークを通じ広告データを閲覧者に対しサーフ配信するサーフシステムとは、広告会社コンピュータ側で広告データの閲覧時間を固定し、閲覧者側コンピュータに対し、javascriptを用いて閲覧時間ごとに広告データを切り替えることで広告データと閲覧者の仲介を行っている。
広告クライアントは広告会社コンピュータに申請した広告データに対し、広告会社コンピュータから発行されたポイントを購入し、購入したポイントを広告データに割り当てることで、ポイントを割り当てた分、閲覧者側コンピュータに対し広告データを出力できる。
閲覧者は広告データを閲覧した回数、閲覧時間ごとに広告データが切り替えられた回数に応じて広告会社コンピュータから発行される広告会社コンピュータで使用可能なポイントを獲得できる。
【０００３】
しかし、今までのサーフシステムは閲覧秒数が固定されてしまっていたため、広告データに割り当てたポイントが広告データ総数、閲覧者側コンピュータ総数に比例してしまい、広告クライアントが予期しない数の広告データ閲覧数がでてしまう欠点があった。
【０００４】
また、広告クライアントの予期しない数の広告データ閲覧数がでてしまうケースを防止するために、閲覧者を制限しなければならない欠点もあった。
【０００５】
広告において、この欠点は大きな障害である。具体的には、閲覧者を増やすための活動ができない。広告を増やすための活動ができないなどの問題があった。
また、この問題により広告がなくなり、広告がなくなったことにより閲覧者がいなくなり、サービス事態が廃業に追い込まれる問題も多々おきた。
【先行技術文献】
【非特許文献】
【０００６】
【非特許文献１】サーフシステム運用サイト：http://traffic-exchange.tv/
【発明の概要】
【発明が解決しようとする課題】
【０００７】
解決しようとする問題点は、既存サーフシステムにおける広告データ配信数、閲覧者数のバランスを保つことが非常に難しく、事業拡大に限界がある点である。
【課題を解決するための手段】
【０００８】
本発明は、広告会社コンピュータが広告データ総数、広告データへのポイント割り当て総数、閲覧者側コンピュータ総数から最適な広告データ閲覧時間を算出し、閲覧者側コンピュータに算出した閲覧時間でサーフさせることにより、広告と閲覧者のバランスを広告会社コンピュータで決定し、大量の広告、大量の閲覧者を収容可能なサーフシステムを実現することを最も主要な特徴とする。
【発明の効果】
【０００９】
本発明の時間伸縮型サーフシステムは、広告データ数と閲覧者数バランスを広告会社コンピュータによって決定し、広告データ数と閲覧者数をほぼ無制限に収容可能となるため下記利点が発生する。
[広告クライアント]
１．大量の広告配信が可能となる利点がある。
２．閲覧者数が増加すればするほど、広告データ閲覧時間が増加する利点がある。
３．時間あたりの広告データ閲覧数を広告クライアント自身が決定できる利点がある。
[広告閲覧者]
１．他閲覧者が増加した場合、時間当たりのポイント獲得は減少するが、広告データに割り当てられたポイントが無くなりポイントを獲得できないといった最悪のケースを減少できる利点がある。
２．他閲覧者が少ないほど閲覧秒数が減少し、時間当たりのポイント獲得が増加する利点がある。
[広告会社]
広告データ数や広告閲覧者にほぼ制限がなくなるため、積極的に広告クライアント、広告閲覧者を集める活動が可能となる利点がある。
広告データ数や広告閲覧者にほぼ制限がなくなるため、事業拡大が可能となる利点がある。
【図面の簡単な説明】
【００１０】
【図１】閲覧時間伸縮型自動サーフシステムの全体と概要
【図２】従来の閲覧時間固定型サーフシステム構造
【図３】閲覧時間伸縮型サーフへの広告データ登録及び広告料金支払画面例
【図４】閲覧時間伸縮型サーフ表示例
【図５】ポイント購入画面例
【図６】会員登録画面例
【図７】会員ログイン画面例
【図８】実施例：会員登録
【図９】実施例：広告データ配信登録
【図１０】実施例：閲覧時間伸縮型自動サーフシステムでの広告配信
【図１１】広告データリスト
【図１２】会員データリスト
【図１３】閲覧時間計算式例
【発明を実施するための形態】
【００１１】
図１は、本発明にかかるサーフシステムによる広告配信方法を実施するネットワークシステムの一実施形態を示す図である。
図１-１．広告クライアントは広告クライアント側コンピュータから、ネットワークを通じて広告会社コンピュータにアクセスし、少なくとも広告URL、広告期間、広告配信数を含む広告データの登録要求（図３-１）と、
広告料金を支払う（図３-２）事で広告配信要求を送信する。
上記広告配信数をポイントに置き換え、ポイントを事前に購入する形態（図５）と、広告データ登録時に購入する形態（図３-２）と、広告会社コンピュータから配布されるポイントを使用する形態がある。
図１-２．広告会社コンピュータは受信した広告データを識別するため、少なくとも広告識別コードを発行し、広告識別コードと関連づけて広告データを記憶保存する（図１１）。
上記広告データを記憶保存する際、広告クライアントが広告会社コンピュータの会員である場合、さらに会員識別コードを広告データに関連付け記憶保存する広告データ記憶手段を備える（図１１）。
図１-３．閲覧者は閲覧者側コンピュータから、ネットワークを通じて広告会社コンピュータに閲覧時間伸縮型サーフプログラム表示要求を送信する。
図１-４．広告会社コンピュータは閲覧時間伸縮型サーフプログラム表示要求に応じて、広告データを広告データ記憶手段から順次読み出す。
図１-５．広告会社コンピュータは上記読み出された広告データと、閲覧者側コンピュータの接続数から、広告データの閲覧時間を算出し決定する。
また、上記読み出された広告データからランダム、またはポイント総数とポイント割当割合から確立から、出力する広告データを決定する。
図１-６．広告会社コンピュータは上記決定した閲覧時間と広告データを、閲覧時間で広告データが切り替わる閲覧時間伸縮型サーフプログラムに込みこみ、閲覧者側コンピュータにネットワークを通じて出力する（図４）。
図１-７．閲覧者は閲覧者側コンピュータから、ネットワークを通じて出力された閲覧時間伸縮型サーフプログラムを介し、広告URL先サイトを出力し、閲覧時間伸縮型サーフプログラムに込みこまれた閲覧時間（図４-Ｓ１）で閲覧する。
図１-８．閲覧時間伸縮型サーフプログラムは閲覧時間をカウントする（図４-Ｓ１）。閲覧時間経過後、閲覧時間伸縮型サーフプログラムは広告会社コンピュータにネットワークを通じて、広告切り替え要求を送信する。
図１-９．広告会社コンピュータは広告切り替え要求を受信した際、閲覧済み広告データのポイントを差し引き記憶保存する。
上記閲覧済み広告データのポイントを差し引く際、閲覧者が広告会社コンピュータの会員である場合、さらに閲覧者会員データのポイントにポイントを加算する構造をさらに備える（図１２）。
図１-１０．以降図１-５に戻り、図１-５〜図１-１０を広告データに割当られたポイントがなくなるまで繰り返す。
【実施例】
【００１２】
図８は、本発明にかかるネットワークシステムの一実施形態、閲覧時間伸縮型自動サーフシステム利用のための会員登録部を示す図である。
図８-１-１及び図８-１-２．複数の広告クライアントがそれぞれ保有するクライアント側コンピュータと、複数の広告閲覧者がそれぞれ保有する閲覧者側コンピュータが、通信ネットワークを介してそれぞれ広告会社コンピュータに接続された環境において、広告クライアント及び広告閲覧者は広告会社コンピュータに会員登録画面表示要求を送信する。
図８-２．広告会社コンピュータは会員登録画面表示要求を受信する。
図８-３．広告会社コンピュータは会員登録画面表示要求に対し、会員登録画面を出力する（図６）。
図８-４-１お呼び図８-４-２．広告クライアント及び広告閲覧者は会員登録のため、少なくともメールアドレスを会員登録画面に入力し、広告会社コンピュータに会員登録要求を送信する。
図８-５．広告会社コンピュータは会員登録要求から受信したメールアドレスを少なくとも会員データ識別コードと、ログインパスワードを自動生成し、会員データとして記憶保存し会員登録を完了する（図１２）。
図８-６．広告会社コンピュータは少なくとも、会員専用画面にログインするためのログインＩＤ、ログインパスワードを含む、会員登録完了通知を当該会員登録要求送信コンピュータに出力する。
図８-７-１及び図８-７-２．広告クライアント及び広告閲覧者は出力された会員登録完了通知から、ログインＩＤ、ログインパスワードを取得することで会員登録部の一連の流れが完了する。
【００１３】
図９は、本発明にかかるネットワークシステムの一実施形態、閲覧時間伸縮型自動サーフシステムから広告データを配信設定するための、広告データ配信登録部を示す図である。
図９-１．広告クライアントは広告会社コンピュータの会員専用画面にアクセスするため、広告クライアント側コンピュータからネットワークを通じ会員ログイン画面表示要求を送信する。
図９-２．広告会社コンピュータは会員ログイン画面表示要求を受信する。
図９-３．広告会社コンピュータは当該会員ログイン画面表示要求に対し、会員ログイン画面を出力する（図７）。
図９-４．広告クライアントは広告クライアント側コンピュータに表示された会員ログイン画面から、ログインＩＤ、ログインパスワードを入力し、会員専用画面アクセス要求を送信する（図７）。
図９-５．広告会社コンピュータは当該会員専用画面アクセス要求から取得したログインＩＤ、ログインパスワードに関連する、会員データ記憶手段に記憶保存された会員データを順次読み出し照合する。
図９-６．広告会社コンピュータは当該照合結果が正とした場合、当該会員専用画面アクセス要求に対し会員専用画面を出力する。
この時、少なくとも当該照合結果が正の広告データに含まれる会員データ識別コードをセッションに記憶保存し、以降の会員専用画面での広告クライアント側コンピュータからの要求を、セッションが持続する限り受信する。
図９-７．広告クライアントは当該会員専用画面から少なくとも、広告ＵＲＬ、広告期間、広告配信数を含む、広告データ登録要求を送信する（図３−１）。
図９-８．広告会社コンピュータは当該広告データ登録要求を受信し、少なくとも広告データ識別コードと配信否を発行し、広告データに関連付けて、広告データを記憶保存する（図１１）。
図９-９．広告会社コンピュータは当該広告期間と広告配信数から広告料金を計算し、当該広告データ登録要求に対し、広告料金支払い画面を出力する。
図９-１０．広告クライアントは出力された広告料金支払い画面から支払い方法を選択し、広告料金支払い方法を要求する（図３−２）。この時当該広告配信数をポイントに置き換え、ポイントを事前に購入しており（図５）事前購入したポイントを使用する形態と、広告データ登録時に広告料金としてポイントを購入する形態（図３-２）と、広告会社コンピュータから配布されるポイントを使用する形態がある。
図９-１１．広告会社コンピュータは広告料金支払い方法要求を受信する。
図９-１２．広告会社コンピュータは当該広告データ登録要求に対する広告料金支払い方法を選択し、広告料金支払い方法画面を出力する。
図９-１３．広告クライアントは広告クライアント側コンピュータに出力された広告料金支払い方法画面から、広告料金支払い方法に従い、広告料金を入金する。
広告料金支払い方法には銀行振込、クレジット決済、既存ポイントを使用する形式がある。
図９-１４．広告会社は入金が銀行振込の場合は目視で確認する。入金がクレジット決済であれば広告会社コンピュータとクレジット会社コンピュータが通信ネットワークで接続された環境において自動決済処理を行う。
広告料金支払い方法に事前購入されたポイントならば確認はしない。
図９-１５．広告会社コンピュータは入金が銀行振込の場合で入金を確認した場合、当該広告データの配信可否を、広告会社が広告会社コンピュータに対し配信可に変更し記憶保存する。入金がクレジット決済にて決済完了通知を広告会社コンピュータで受信した場合、当該広告データの配信可否を配信可に変更し記憶保存する。広告料金支払い方法に事前購入されたポイントならば当該広告データの配信可否を配信可に変更し記憶保存する
図９-１６．広告会社コンピュータは当該広告データの配信可否が配信可に変更後、当該広告データ配信設定完了通知を当該会員に送信する。
当該広告データ配信設定完了通知は画面出力で行う。当該入金方法が銀行振込の場合は当該会員のメールアドレスに対し配信設定完了通知をメール送信する。
図９-１７．広告クライアントは広告クライアント側コンピュータで受信した当該広告データ配信設定完了通知を受け取り、一連の広告データ配信登録部を完了する。
【００１４】
図１０は、本発明にかかるネットワークシステムの一実施形態、閲覧時間伸縮型自動サーフシステムでの広告配信部を示す図である。
図１０-１．閲覧者は広告会社コンピュータの会員専用画面にアクセスするため、閲覧者側コンピュータからネットワークを通じ会員ログイン画面表示要求を送信する。
図１０-２．広告会社コンピュータは会員ログイン画面表示要求を受信する。
図１０-３．広告会社コンピュータは当該会員ログイン画面表示要求に対し、会員ログイン画面を出力する（図７）。
図１０-４．閲覧者は閲覧者側コンピュータに表示された会員ログイン画面から、ログインＩＤ、ログインパスワードを入力し、会員専用画面アクセス要求を送信する（図７）。
図１０-５．広告会社コンピュータは当該会員専用画面アクセス要求から取得したログインＩＤ、ログインパスワードに関連する、会員データ記憶手段に記憶保存された会員データを順次読み出し照合する。
図１０-６．広告会社コンピュータは当該照合結果が正とした場合、当該会員専用画面アクセス要求に対し会員専用画面を出力する。
この時、少なくとも当該照合結果が正の広告データに含まれる会員データ識別コードをセッションに記憶保存し、以降の会員専用画面での閲覧者側コンピュータからの要求を、セッションが持続する限り受信する。
図１０-７．閲覧者は閲覧者側コンピュータに出力された会員専用画面から、閲覧時間伸縮型サーフプログラム表示要求を送信する。
図１０-８．広告会社コンピュータは閲覧時間伸縮型サーフプログラム表示要求に応じて、広告データを広告データ記憶手段から順次読み出す。
図１０-９．広告会社コンピュータは上記読み出された広告データと、閲覧者側コンピュータの接続数から、広告データの閲覧時間を算出し決定する（図１３）。
また、上記読み出された広告データからランダム、またはポイント総数とポイント割当割合から確立から、出力する広告データを決定する。
図１０-１０．広告会社コンピュータは上記決定した閲覧時間と広告データを、閲覧時間で広告データが切り替わる閲覧時間伸縮型サーフプログラムに込みこみ、閲覧者側コンピュータにネットワークを通じて出力する（図４）。
図１０-１１．閲覧者は閲覧者側コンピュータから、ネットワークを通じて出力された閲覧時間伸縮型サーフプログラムを介し、広告URL先サイトを出力し、閲覧時間伸縮型サーフプログラムに込みこまれた閲覧時間（図４-Ｓ１）で閲覧する。
図１０-１２．閲覧時間伸縮型サーフプログラムは閲覧時間をカウントする（図４-Ｓ１）。閲覧時間経過後、閲覧時間伸縮型サーフプログラムは広告会社コンピュータにネットワークを通じて、少なくとも当該広告データ識別コードを含む広告切り替え要求を送信する。
図１０-１３．広告会社コンピュータは広告切り替え要求を受信する。
図１０-１４．広告切り替え要求から受信した当該広告データ識別コードに関連する広告データのポイントを１ポイント差し引き記憶保存する。
図１０-１５．当該閲覧者側コンピュータとのセッションに記憶保存された会員識別コードを読み出し、当該会員識別コードに関連する会員データのポイントを１ポイント加算し記憶保存する。
図１０-１６．以降図１０-８に戻り、図１０-８〜図１０-１６を広告データに割当られたポイントがなくなるまで繰り返す。
【産業上の利用可能性】
【００１５】
閲覧時間伸縮型自動サーフシステムは非会員広告クライアントからの広告データ申し込み、及び、非会員閲覧者による広告データ閲覧がされてもよい（図１）。
広告データは広告ＵＲＬ以外にも画像やPDFファイル等でもよい。
会員閲覧者が広告代理となり、非会員閲覧者へ閲覧時間伸縮型自動サーフを閲覧させ、非会員閲覧者が広告を閲覧した分だけ会員閲覧者が広告報酬を受け取れるようにしてもよい。
【要約】
【課題】サーフシステムにおける、広告と閲覧者の比率変動によるデメリットを解消する。
【解決手段】広告データに広告配信期間と広告配信期間に対する広告配信数を定め、サーフ用プログラム出力要求ごとに、時間ごとの広告データ配信総数を割り出し、現在の広告閲覧者数と時間ごとの広告データ配信総数から、当該広告配信期間中、当該広告データを配信しつづけるために最適な広告閲覧時間を算出し、当該広告閲覧時間をサーフ用プログラムに適用し出力する。
【選択図】図１【図１】
0005555823.tif 000002
【図２】
0005555823.tif 000003
【図３】
0005555823.tif 000004
【図４】
0005555823.tif 000005
【図５】
0005555823.tif 000006
【図６】
0005555823.tif 000007
【図７】
0005555823.tif 000008
【図８】
0005555823.tif 000009
【図９】
0005555823.tif 000010
【図１０】
0005555823.tif 000011
【図１１】
0005555823.tif 000012
【図１２】
0005555823.tif 000013
【図１３】
0005555823.tif 000014